(57)【特許請求の範囲】
【請求項１】
電球の口金であって、
自身の第１の端部と第２の端部との間で軸方向沿いに延びる管状筐体と、
前記筐体に対して前記軸方向周りに回転しないよう前記筐体の前記第１の端部に取り付けられた絶縁体であって、前記筐体の内部空間側に面する内側部分、前記内部空間の反対側に面する外側部分、及び前記外側部分から前記絶縁体を貫通して前記内部空間につながる、導電性接続ピンを収容するための少なくとも１つのチャネルを有する、絶縁体と、
前記電球を動作させるための電気回路を収納するためのハウジングとを含み、前記導電性接続ピンの端部は、前記絶縁体と前記ハウジングとの間の分離が、少なくとも前記軸方向において防がれるよう、前記ハウジングの係合部と係合する水平凸部又は凹部を有し、前記ハウジングが前記絶縁体に対して前記軸方向周りに回転しないよう、前記ハウジングは前記絶縁体の前記内側部分に取り付けられ、前記ハウジングの前記筐体に対する回転が防がれる、口金。
【請求項２】
前記絶縁体と前記ハウジングとの間の境界は、前記ハウジングの内部空間を前記ハウジングの外面と前記筐体の内面との間に形成される環状空間から分離する、請求項１に記載の口金。
【請求項３】
前記絶縁体の前記内側部分は、前記ハウジングの端部に向かって前記軸方向に延びる第１の表面を提供し、
前記ハウジングの前記端部は、前記絶縁体の前記内側部分に向かって前記軸方向に延びる第２の表面を提供し、
前記第１の表面及び前記第２の表面は互いに沿って及び接触して延びる、請求項１又は２に記載の口金。
【請求項４】
前記絶縁体は、前記絶縁体の前記内側部分に配置され、前記ハウジングの端部に向かって前記軸方向に延びる仕切り部材を含む、請求項１乃至３のいずれか一項に記載の口金。
【請求項５】
前記ハウジングは、前記ハウジングの端部に配置され且つ前記絶縁体の前記内側部分に向かって前記軸方向に延びる仕切り部材を含む、請求項１乃至４のいずれか一項に記載の口金。
【請求項６】
前記絶縁体の前記仕切り部材の側面は、前記ハウジングの前記仕切り部材の側面に沿って及び接触して延びる、請求項４又は５に記載の口金。
【請求項７】
前記絶縁体の前記仕切り部材及び前記ハウジングの前記仕切り部材は、前記絶縁体と前記ハウジングとの間の境界を形成し、前記ハウジングの内部空間を前記ハウジングの外面と前記筐体の内面との間に形成される環状空間から分離する、請求項６に記載の口金。
【請求項８】
前記ハウジングの前記仕切り部材は、前記ハウジングの内部空間から前記ハウジングの外面と前記筐体の内面との間に形成される環状空間に延びる第１の接続導線を収納する導線チャネルを含む、請求項５に記載の口金。
【請求項９】
前記ハウジングは、前記ハウジングの前記端部に配置された接続部を含み、前記接続部は、前記絶縁体の前記少なくとも１つのチャネルと前記軸方向に沿って整列され、前記導電性接続ピンの端部及び前記ハウジングの内部空間から延びる第２の接続導線を収容する第１のチャネルを含む、請求項１乃至８のいずれか一項に記載の口金。
【請求項１０】
前記接続部は、前記接続部の壁を貫通して前記第１のチャネルにつながる第２のチャネルを含み、前記第２のチャネルは前記第２の接続導線を収容する、請求項９に記載の口金。
【請求項１１】
請求項１乃至１０のいずれか一項に記載の口金と、前記口金の上に配置され、少なくとも１つの光源を含む照明モジュールとを含む、電球。
【請求項１２】
電球の口金を組み立てる方法であって、
自身の第１の端部と第２の端部との間で軸方向沿いに延びる管状筐体と、前記筐体に対して前記軸方向周りに回転しないよう前記筐体の前記第１の端部に取り付けられた絶縁体であって、前記筐体の内部空間側に面する内側部分、前記内部空間の反対側に面する外側部分、及び前記外側部分から前記絶縁体を貫通して前記内部空間につながる、導電性接続ピンを収容するための少なくとも１つのチャネルを有する、絶縁体とを提供するステップと、
前記電球を動作させるための電気回路を収納するためのハウジングを、前記ハウジングが前記絶縁体に対して前記軸方向周りに回転しないよう、前記絶縁体の前記内側部分に取り付けるステップであって、前記ハウジングの前記筐体に対する回転が防がれる、ステップと、
前記導電性接続ピンの端部の水平凸部又は凹部が前記ハウジングの係合部と係合し、前記絶縁体と前記ハウジングとの間の分離が、少なくとも前記軸方向において防がれるよう、前記導電性接続ピンの前記端部を取り付けるステップと
を含む、方法。
【発明の詳細な説明】
【技術分野】
【０００１】
本発明の概念は、電球の口金及び電球の口金の組み立て方法に関する。
【背景技術】
【０００２】
発光ダイオード（ＬＥＤ）の分野における発展は、屋内及び屋外照明の両方に関して、白熱電球又は蛍光灯等の従来の光源をＬＥＤランプに取り替えることを実践的且つ経済的にした。優れたエネルギー効率及び長寿命から、多くの場合、ＬＥＤランプは従来の対応物よりも環境に優しいと考えられている。
【０００３】
今日では、多様な設計のＬＥＤランプが入手可能である。一部のＬＥＤランプの設計は、既存の照明器具及びソケットと互換性を有する。例えば、ＬＥＤランプは、ソケットにねじ込まれるねじ山付き口金を有し得る（すなわち、ねじ込み式継手（Edison-screw fitting））。ある設計では、ＬＥＤランプは、ねじ山付き導電性筐体と、ＬＥＤドライバ等の電気回路を含むハウジングとを有する口金の上に配置された１つ以上のＬＥＤを含む照明モジュールを有する。照明モジュールはハウジングに取り付けられ、一方、ハウジングが筐体にピンチングされることによりハウジングと筐体との間の耐ねじれ接続が提供され、ランプをソケットにねじ込むことができる。ＵＳ７，９６５，０２３は、放熱ハウジング、絶縁ハウジング、及びねじ込み式電極キャップを含む他の設計を開示する。絶縁ハウジングはパワープリント回路基板（ＰＣＢ）を含む。電極キャップの上側の開口端が絶縁ハウジングの下端に接続され、ねじ結合により一体化する。その後、電極キャップ及び絶縁ハウジングは、放熱ハウジングの軸方向スルーホール内に設置される。
【発明の概要】
【発明が解決しようとする課題】
【０００４】
上記のＬＥＤランプのデザインには改良の余地があることが認識された。より具体的には、ハウジングの筐体へのピンチング、又は絶縁ハウジングと電極キャップとの間のねじ結合は、特に、口金の組み立ての効率性を制限し得ることが認識された。したがって、本発明の一課題は、効率的な組み立てにより適した口金を提供することによってこの欠点に取り組み、少なくとも部分的に解消することである。
【課題を解決するための手段】
【０００５】
本発明の第１の側面によれば、上記及び他の目的は、電球の口金であって、自身の第１の端部と第２の端部との間で軸方向沿いに延びる管状筐体と、筐体に対して軸方向周りに回転しないよう筐体の第１の端部に取り付けられた絶縁体であって、筐体の内部空間側に面する内側部分、内部空間の反対側に面する外側部分、及び外側部分から絶縁体を貫通して内部空間につながる、導電性接続ピンを収容するための少なくとも１つのチャネルを有する、絶縁体と、電球を動作させるための電気回路を収納するためのハウジングとを含み、導電性接続ピンの端部は、絶縁体とハウジングとの間の分離が、少なくとも軸方向において防がれるよう、ハウジングの係合部と係合するよう適合された水平凸部又は凹部を有し、ハウジングは、ハウジングが絶縁体に対して軸方向周りに回転しないよう絶縁体の内側部分に取り付けられ、ハウジングの筐体に対する回転が防がれる、口金によって達成される。
【０００６】
独創的な第１の側面によれば、ハウジングの回転が絶縁体に伝達され、ハウジングが絶縁体に対して回転しないようハウジングを絶縁体に取り付けることにより、効率的且つ簡便に組み立て可能な改良された口金を達成できることが認識された。ハウジングの筐体に対する回転が防がれるため、独創的な口金を有するランプは、ねじ込み式ソケット又はバヨネット式ソケット等の対応するソケットにねじり動作によって容易に挿入することができる。更に、好適にはプラスチック、ガラス、又はセラミック材料からなるハウジングに、導電性接続ピンの端部との素早い確実な接続を可能にする特徴を容易に設けられることが認識された。これにより、時間がかかる可能性があるハウジングの筐体へのピンチング又はハウジングの筐体へのねじ込み等の別個の組み立てステップが回避され得る。
【０００７】
導電性接続ピンの端部の水平凸部又は凹部のハウジングの係合部との係合は、更に、絶縁体とハウジングとの間の分離を、少なくとも軸方向において防ぐ。これにより、ハウジングは筐体に対して固定された軸方向位置に配置され得る。したがって、ハウジングの筐体に対する回転及び軸方向の動きの両方を防ぐことができる。
【０００８】
一実施形態によれば、絶縁体とハウジングとの間の境界は、ハウジングの内部空間をハウジングの外面と筐体の内面との間に形成される環状空間から分離するよう構成される。ハウジング内にポッティング材が注入される場合、境界はさもなければ生じ得るポッティング材の環状空間への漏れを防ぐことができる。これは、ポッティング材が口金の他の部分に干渉する（ドライバとねじ山付き導電性筐体との間の断線をもたらす）リスクを下げ、また、ハウジングを充填するのに必要なポッティング材の量を減らし得る。
【０００９】
一実施形態によれば、絶縁体の内側部分は、ハウジングの端部に向かって軸方向に延びる第１の表面を有し、ハウジングの端部は、絶縁体の内側部分に向かって軸方向に延びる第２の表面を有し、第１の表面及び第２の表面は互いに沿って及び接触して延びるよう構成される。したがって、第１及び第２の表面が協力してハウジングの絶縁体に対する軸方向周りの回転を防ぎ得る。これにより、ハウジングと絶縁体との間の接続のねじれ抵抗を好適に強化することができる。
【００１０】
一実施形態によれば、絶縁体は、絶縁体の内側部分に配置され、ハウジングの端部に向かって軸方向に延びる仕切り部材を含む。したがって、ハウジング内にポッティング材が注入される場合、仕切り部材は仕切り部材を越えるポッティング材の漏れを防ぎ得る。代わりに、ハウジングの端部に配置され、絶縁体の内側部分に向かって軸方向に延びる仕切り部材をハウジングが含んでもよい。
【００１１】
一実施形態によれば、絶縁体は、絶縁体の内側部分に配置され、ハウジングの端部に向かって軸方向に延びる仕切り部材を含み、ハウジングは、ハウジングの端部に配置され、絶縁体の内側部分に向かって軸方向に延びる仕切り部材を含み、絶縁体の仕切り部材の側面は、ハウジングの仕切り部材の側面に沿って及び接触して延びる。この実施形態は、ハウジングと絶縁体との間の接続のねじれ抵抗を好適に強化することを可能にし、更に、上述したように、ポッティング材がハウジングから漏れることを防ぎ得る。
【００１２】
一部の実施形態では、ハウジングは、ハウジングの内部空間からハウジングの外面と筐体の内面との間に形成される環状空間に延びる接続導線を収納するよう構成された導線チャネルを含み得る。これにより、ハウジング内に配置された回路は筐体の導電部に簡便にガルバニック接続され得る。
【００１３】
一実施形態によれば、ハウジングは、ハウジングの端部に配置された接続部を含み、接続部は、導電性接続ピンを収容するよう構成された絶縁体の少なくとも１つのチャネルと軸方向に整列される第１のチャネルを含み、接続ピンの端部及びハウジングの内部空間から延びる接続導線を収容するよう構成される。これにより、接続導線を接続部の第１のチャネル内に配置し、その後第１のチャネルに接続ピンを挿入することにより、ハウジング内の回路を接続ピンに簡便にガルバニック接続することができる。接続部は、更に、接続部の壁を貫通してチャネルにつながる第２のチャネルを含み、第２のチャネルは接続導線を収容するよう構成される。したがって、接続導線は第２のチャネルを通過して第１のチャネルに入るよう配置され得る。これにより、第２のチャネルは、接続ピンが第１のチャネルに挿入される前及び挿入されている間の接続導線の保持部として機能し得る。
【００１４】
第２の側面によれば、第１の側面又はその上記実施形態のうちのいずれかに係る口金と、口金の上に配置され、少なくとも１つの光源を含む照明モジュールとを含む、電球が提供される。
【００１５】
第３の側面によれば、
自身の第１の端部と第２の端部との間で軸方向沿いに延びる管状筐体と、筐体に対して軸方向周りに回転しないよう筐体の第１の端部に取り付けられた絶縁体であって、筐体の内部空間側に面する内側部分、内部空間の反対側に面する外側部分、及び外側部分から絶縁体を貫通して内部空間につながる、導電性接続ピンを収容するための少なくとも１つのチャネルを有する、絶縁体とを提供するステップと、電球を動作させるための電気回路を収納するためのハウジングを、ハウジングが絶縁体に対して軸方向周りに回転しないよう、絶縁体の内側部分に取り付けるステップであって、ハウジングの筐体に対する回転が防がれる、ステップと、
導電性接続ピンの端部の水平凸部又は凹部がハウジングの係合部と係合し、絶縁体とハウジングとの間の分離が、少なくとも軸方向において防がれるよう、導電性接続ピンの端部を取り付けるステップと
を含む、方法が提供される。
【００１６】
第１の側面及びその実施形態に関連して述べた詳細及び利点は、本発明の概念の第２及び第３の側面に対応して適用される。したがって、簡潔さのため、ここでは繰り返し議論しない。
【００１７】
本発明は、特許請求の範囲に記載された特徴のあらゆる可能な組み合わせに関することに留意されたい。
【図面の簡単な説明】
【００１８】
以下、本発明の実施形態を示す添付図面を参照しながら、本発明の上記及び他の側面をより詳細に説明する。図中、特に明記しない限り、類似する参照番号は一貫して類似する要素を指す。
【００１９】
【図１】図１は、本発明の一実施形態に係る組み立て前の状態の電球の斜視図である。
【図２】図２は、組み立てられた状態の電球の斜視図である。
【図３】図３は、本発明の一実施形態に係る組み立て前の状態の口金の斜視図である。
【図４】図４は、図３に示される筐体及び絶縁体の斜視図である。図４’は、筐体及び絶縁体の他の実施形態の斜視図である。図４”は、筐体及び絶縁体の他の実施形態の斜視図である。
【図５】図５は、本発明の一実施形態に係る筐体、絶縁体、及びハウジングの断面図である。
【図６】図６は、本発明の他の実施形態に係る口金の斜視図である。
【図７−８】図７及び図８は、図６に示される口金の断面図である。
【発明を実施するための形態】
【００２０】
以下、本発明の現在の好適な実施形態を示す添付図面を参照しながら、本発明をより完全に説明する。しかし、本発明は多くの異なる形態で具現化され、本明細書に記載される実施形態に限定されると解されるべきではない。これらの実施形態は徹底さ及び完全さのために提供され、当業者に本発明の範囲を十分に伝える。
【００２１】
図１及び図２は、一実施形態に係る電球１０を示す。図１は、組み立て前の状態の電球１０を示す。図２は、組み立てられた状態の電球１０を示す。電球１０は口金１、電気回路１１、及び照明モジュール３０を含む。口金１は導電性の管状筐体２を含む。したがって、筐体２は金属等の導電性材料を含む。筐体２は雄ねじを有する。雄ねじは、口金１をねじ込み式ソケットにねじ込むことを可能にする。筐体２は第１の端部２ａと第２の端部２ｂとの間に延びる。この延在方向は、筐体２の軸方向、及び同様に口金１の軸方向と呼ばれ得る。筐体２は、口金１の第１の接点又は側方接点を形成する。
【００２２】
口金１は絶縁性のハウジング３を含む。ハウジング３は、例えばポリブチレンテレフタレート（ＰＢＴ）若しくはポリカーボネート（ＰＣ）等のエンジニアリング熱可塑性プラスチックなどのポリマー材料、ガラス又はセラミック材料を含み得る。ハウジング３は第１の端部３ａと第２の端部３ｂとの間で軸方向沿いに延びる。ハウジング３は、筐体２の第２の端部２ｂにおける開口端から筐体２に収容されるよう構成される。筐体２及びハウジング３が組み立てられると、ハウジング３の少なくとも一部が筐体２によって包囲された円柱状の内部空間内に延びる。第１の端部３ａは、筐体２によって包囲された内部空間内に延びる。第２の端部３ｂは、筐体２によって包囲された内部空間の外に延びる。したがって、図示の実施形態では、ハウジング３の一部のみが筐体２内に収容される。しかし、他の実施形態では、ハウジング３全体が筐体２内に収容されてもよい。ハウジング３は、電球１０を動作させるための例えばプリント回路基板の形態の電気回路１１を受け入れて収納するよう構成される。電球１０の光源は１つ以上の発光ダイオード（ＬＥＤ）を含み、電気回路１１は（１つ以上の）ＬＥＤを駆動するためのＬＥＤドライバを含み得る。
【００２３】
口金１は、絶縁性の端部部材（以下、絶縁体４と呼ぶ）を含む。絶縁体４は、例えばポリブチレンテレフタレート（ＰＢＴ）又はポリカーボネート（ＰＣ）等のエンジニアリング熱可塑性プラスチックなどのポリマー材料、ガラス又はセラミック材料を含み得る。好適には、絶縁体４は射出成形され得る。絶縁体４は、絶縁体４が筐体２に対して軸方向周りに回転しないよう、筐体２の第１の端部２ａに取り付けられる。一方、ハウジング３は、ハウジング３が絶縁体４に対して軸方向周りに回転しないよう、絶縁体４に取り付けられる。結果として、ハウジング３の筐体２に対する回転を防ぐことができる。これについては後に、より詳述する。
【００２４】
図１及び図２に示されるように、第２の端部３ｂは、ハウジング３を更なるコンポーネント、例えば１つ以上の光源を含む照明モジュール３０に接続するための特徴を備え得る。これにより、口金１及び１つ以上の光源を含む照明モジュール３０を含む電球１０が提供され得る。一例として、図１及び図２の参照番号３０は、フィン付き冷却素子上に取り付けられた１つ以上のＬＥＤを含む照明モジュールを概略的に示す。ＬＥＤは透明なカバーによって保護されてもよい。照明モジュール３０は、照明モジュール３０がハウジング３に対して軸方向周りに回転しないよう、第２の端部３ｂに取り付けられ得る。図示されるように、照明モジュール３０はスナップロックによってハウジング３に取り付けられ得る。代わりに、照明モジュール３０はハウジング３に接着されてもよい。照明モジュール３０は、ランプの把持部としての役割を果たし、ユーザーがランプを手で扱い、把持部を回転させることによって口金１をソケットに挿入することを可能にし得る。代替的に又は追加で、ハウジング３は、筐体の外に延在し、把持部を形成する部分を提供してもよい。
【００２５】
図３乃至図５は、本発明の一実施形態に係る組み立て前の状態の電球の口金１を示す。口金１は管状筐体２、ハウジング３、絶縁体４、及び導電性接続ピン５を含む。図３は、本発明の一実施形態に係る組み立て前の状態の口金の斜視図である。図４は、筐体２の第２の端部２ｂから見た筐体２及び絶縁体４の斜視図である。図５は、筐体２、ハウジング３、絶縁体４、及び接続ピン５の縦断面図を示す。
【００２６】
接続ピン５の端部５ａはスナップイン機能を提供するよう構成されており、組み立てられた状態において、絶縁体４、ハウジング３、及び筐体２がスナップロック構成で互いに取り付けられることを可能にする。
【００２７】
接続ピン５の端部５ａ及び係合部３ｃは、絶縁体４とハウジング３との軸方向分離を、少なくとも軸方向において防ぐために協力するよう構成される。接続ピン５の端部５ａがハウジング３の係合部３ｃと係合するよう、接続ピン５はハウジング３の第１の端部３ａの開口部を通過して開口部の端を越える。これにより、ハウジング３は筐体２に対して固定された軸方向位置に配置され得る。
【００２８】
１つの利点は、口金１の組み立てが簡略化され、信頼できる低コストの自動組み立てが可能になることである。
【００２９】
この実施形態の他の利点は、ハウジング３を絶縁体４に取り付けるのに他の手段が不要なことであり、これにより、これらの部品の設計及び加工は簡略化される。代わりに、ハウジング３は、ハウジング３の係合部３ｃと係合する取り付け手段として機能する接続ピン５の端部５ａによって絶縁体４に取り付けられる。
【００３０】
図３は、組み立て前の状態の口金１の斜視図を示す。口金１は筐体２、ハウジング３、絶縁体４、及び接続ピン５を含む。ハウジング３の第１の端部３ａは、組み立てられた状態において絶縁体４の内側部分４ｂに面する開口部を有する。開口部の端は、接続ピン５の端部５ａのための係合部３ｃを提供する。ハウジング３は、ハウジング３の第１の端部３ａに配置された接続部１２を含む。接続部１２は、ここでは更に端部３ａの中央に配置されている。接続部１２は軸方向に延びるチャネル１２ａを含む。チャネル１２ａは、接続部１２の壁１２ｂによって周囲を囲われている。接続部１２は、更に、壁１２ｂを貫通し、チャネル１２ａにつながる水平チャネル１２ｃを含む。軸方向チャネル１２ａは、接続ピン５の端部５ａを受け入れ、軸方向チャネルと接続ピン５の端部５ａとがスナップロック構成で互いに取り付けられるよう構成される。
【００３１】
次に図５を参照して、水平チャネル１２ｃは、接続ピン５の一部がチャネル１２ａに収容されると接続導線の一部が接続ピン５と接続し得るよう、接続導線１４を収容するよう構成される。したがって、固定されたポジションにおいて、半田付けを要することなく接続導線１４を接続ピン５の一部とガルバニック接触させることができる。
【００３２】
接続導線１４は、ハウジング３内の電気回路１１からハウジング３の端部３ａ内の開口部を通過して接続ピン５まで延びるよう配置される。接続導線１４の第１の端部は回路１１とガルバニック接続する。第１の端部の反対側の接続導線１４の第２の端部は接続ピン５とガルバニック接続する。チャネル１２ｃは、接続導線１４の断面寸法よりも小さい断面寸法を有してもよく、チャネル１２ｃ内に収容される接続導線１４の部分が締まりばめ又はプレスばめされてもよい。これは、組み立て中のハウジング３及び接続導線１４の取り扱いを容易にし得る。したがって、接続導線１４はハウジング３の内部空間からチャネル１２ｃに入るよう配置され、接続導線１４の自由端はチャネル１２ａに入るよう配置され得る。接続ピン５の端部５ａがチャネル１２ａ内に収容されると、接続導線１４の自由端が端部５ａと壁１２との間に挟まれてプレスばめされ得る。したがって、固定されたポジションにおいて、半田付けを要することなく接続導線１４を接続ピン５の端部５ａとガルバニック接触させることができる。
【００３３】
口金１は、更に、第２の接続導線１６を含み得る。ハウジング３は、更に、第２の接続導線１６を収納するためのチャネル９を含み得る。接続導線１６は、ハウジング３内の電気回路１１からチャネル９を通過して筐体２の内面まで延びるよう配置され得る。接続導線１６の第１の端部は、回路１１とガルバニック接続し得る。第１の端部の反対側の接続導線１６の第２の端部は、筐体２の内面とガルバニック接続し得る。筐体２とハウジング３の半径方向の相対寸法は、環状空間の半径方向の厚さが接続導線１６の厚さより小さいようなものであり、接続導線１６が筐体２とハウジング３との間に挟まれてプレスばめされ得る。したがって、固定されたポジションにおいて、半田付けを要することなく接続導線１６を筐体２とガルバニック接触させることができる。
【００３４】
引き続き図５を参照して、ハウジング３と絶縁体４との間の境界は、ポッティング材がハウジング３と筐体２との間の空間に漏れることを防ぐ。これにより、ランプの使用中に熱膨張し得るポッティング材が接続導線１６と筐体２との間の接触を妨害するリスクを下げることができる。したがって、ポッティング材が使用される場合であっても、半田付けを要することなく、接続導線１６と筐体２との間の確実な接続を達成することができる。
【００３５】
接続導線１６の上記構成は、接続部１２を含まない実施形態にも適用可能である。接続部１２を含まない実施形態では、接続導線１４に対応する接続導線は代わりに半田付けによって接続ピン５に取り付けられ得る。
【００３６】
図３及び図５に示されるように、ハウジング３は、更に、ハウジング３の第１の端部３ａ上に配置され、筐体２の第１の端部２ａに向かって軸方向に延びる仕切り部材８を含む。仕切り部材８はハウジング３と一体的に単一の部品として形成されてもよく、又は別個に形成されて溶接若しくは接着等によってハウジング３の上に取り付けられてもよい。
【００３７】
また、図３に示されるように、ハウジング３の第１の端部３ａは仕切り部材８を貫通する導線チャネル９を有し、接続導線がハウジング３の内部空間からハウジング３と筐体２の内面との間に形成される環状空間内に延びることを可能にする。
【００３８】
図３乃至図５に示される絶縁体４は、電極を挿入するための中央開口部を含む。しかし、本発明によれば、図４に示されるように、絶縁体４は絶縁体４の内側部分４ｂ上に配置された仕切り部材７を更に含む。仕切り部材７は組み立てられた構成内にあり、筐体２の第２の端部２ｂに向かって軸方向に延びる。仕切り部材７は図４に示される矩形以外の形状を有してもよく、仕切り部材は三角形、菱形、又はより一般的には多角形を有し得る。
【００３９】
あるいは、後述されるように、仕切り部材７は係止構造を備えてもよい。
【００４０】
仕切り部材７は絶縁体４と一体的に単一の部品として形成されてもよく、又は別個に形成されて溶接又は接着等によって絶縁体４の上に取り付けられてもよい。
【００４１】
絶縁体４は、更に、軸方向外側部分４ａを含む。外側部分４ａは、軸方向に筐体２の内部空間の反対側に面する。したがって、外側部分４ａは口金１の外面を提供する。絶縁体４は軸方向内側部分４ｂを含む。内側部分４ｂは、軸方向に筐体２の内部空間側に面する。したがって、内側部分４ｂは筐体２内の内面を提供する。
【００４２】
絶縁体４は、外側部分４ａから内側部分４ｂに軸方向に延び、筐体２の内部空間につながるスルーホールを含む。スルーホールは接続ピン５を収容するよう構成される。接続ピン５は絶縁体４のスルーホールに貫入する。接続ピン５は口金１の第２の接点又は端部接点を形成する。
【００４３】
図５を参照して、仕切り部材８は仕切り部材７の半径方向外側に配置される。仕切り部材７の半径方向外側の側面は、仕切り部材８の半径方向内側の側面と係合する。代替的な実施形態では、反対に、仕切り部材７が仕切り部材８の半径方向外側に配置されてもよい。これらの代替的な実施形態によれば、仕切り部材８の半径方向外側の側面が仕切り部材７の半径方向内側の側面と係合する。
【００４４】
同じくこの実施形態によれば、仕切り部材７は、絶縁体４の内側部分４ｂからハウジング３の第１の端部３ａまでの全距離に及び得る。したがって、仕切り部材７はハウジング３の第１の端部３ａと係合又は接し得る。あるいは、仕切り部材７は、絶縁体４の内側部分４ｂからハウジング３の第１の端部３ａまでの距離の一部のみに及んでもよい。同様に、仕切り部材８はハウジング３の第１の端部３ａから絶縁体４の内側部分４ｂまでの全距離に及び得る。したがって、仕切り部材８は絶縁体４の内側部分４ｂと係合又は接し得る。あるいは、仕切り部材８はハウジング３の第１の端部３ａから絶縁体４の内側部分４ｂまでの距離の一部のみに及んでもよい。いずれにせよ、仕切り部材７及び仕切り部材８は軸方向沿いに重なるよう軸方向に延び得る。
【００４５】
図４’及び図４”は、絶縁体４の仕切り部材７の代替的な実施形態を示す。図４’は、筐体２の第２の端部２ｂから見た筐体２及び絶縁体４の斜視図である。仕切り部材７は、交互する凹部７２及び凸部７４を含む円形の狭間胸壁７０として成形されている。仕切り部材７及び対応するハウジング３の仕切り部材８（図示無し）は、実質的に均質な円形壁が得られるよう、口金の組み立て中にかみ合い又は係止するよう構成される。言い換えれば、仕切り部材７及び８の狭間胸壁は、２つの仕切り部材７及び８の間の境界に係止が形成されるよう組み合わさる。
【００４６】
当業者は、仕切り部材７の狭間胸壁が図４’に表されるものとは異なる形状を有し、異なる数の凹部７２及び凸部７４を含み得ることを認識するであろう。例えば、図４”は仕切り部材７の他の実施形態を示す。仕切り部材７は、図４’と同様に、凹部７２及び凸部７４を有する円形の狭間胸壁７０を含むが、狭間胸壁７２の半径方向外面に配置された円形壁構造７６を更に含む。仕切り部材７及び対応するハウジング３の仕切り部材８（図示無し）は、円形壁構造７６の半径方向内面に沿ってかみ合い又は係止するよう構成されている。これにより、円形壁構造７６は仕切り部材７及び８によって形成される接合に追加の安定性をもたらす。円形壁構造７６は、更に、仕切り部材７及び８の間の境界に隙間が生じ得ることを防ぐ。
【００４７】
他の実施形態によれば、仕切り部材７、８は鋸歯構造を含み得る。
【００４８】
上記仕切り部材７及び８は二重の利益をもたらす。
【００４９】
第１に、仕切り部材７及び８は、ハウジング３の内部空間をハウジング３の外面と筐体２の内面との間に形成される環状空間から分離する絶縁体４とハウジング３との間の境界を提供する。ポッティング材がハウジング３に注入される場合、境界は、ポッティング材がハウジング３からハウジング３の第１の端部３ａ内の開口部を介して前記環状空間に漏れることを防ぐことができる。これにより、電気接触不良のリスクを下げ、必要なポッティング材の量を減らすことができる。
【００５０】
第２に、仕切り部材７及び８は、使用時、ランプの組み付け（取り外し）中にランプの口金１がソケットに挿入される際のトルクに耐えるために要求されるハウジング３と絶縁体４との間の耐ねじれ接続に寄与する。
【００５１】
上記実施形態のうちのいずれかに係る口金１を備える電球の使用中、ランプの口金１はソケットに挿入され得る。口金１の挿入は、例えばユーザーが上記把持部のような触れることができるランプの部分に軸方向にトルクをかけることによる、ランプの軸方向周りの回転を含み得る。ソケットは筐体２のねじ山に対応するねじ山を有し得る。筐体２の外寸及び対応するソケットの内寸は、例えば、Ｅ１４又はＥ２７ねじ込み式継手の寸法に対応し得る。加えられるトルクによって生じる回転はハウジング３に伝達され得る。ハウジング３から、回転は仕切り部材８及び仕切り部材７を介して絶縁体４に伝達され得る。絶縁体４の回転は筐体２に伝達され、筐体２、よって口金１がソケット内にねじ込まれ得る。口金１をソケットから外すために回している間にも、同様なトルク及び回転の伝達が起こり得る。したがって、ハウジング３は、ハウジング３が絶縁体４に対して軸方向周りに回転しないよう絶縁体４に取り付けられ、絶縁体４は、絶縁体４が筐体２に対して軸方向周りに回転しないよう筐体２に取り付けられ、ハウジング３の筐体２に対する回転が防がれる。
【００５２】
ハウジング３及び絶縁体４を軸方向に整列させて、（該当する場合は）仕切り部材７が仕切り部材８によって包囲され（又は一部の実施形態ではこの逆）及び接続ピン５の端部５ａが係合部３ｃにスナップフィットするようハウジング３と絶縁体４を合わせることにより、口金１は効率的且つ簡便に組み立てられ得る。絶縁体４は前のステップで筐体２と組み合わせられていてもよく、この場合、ハウジング３を筐体２の第２の端部２ｂから筐体２に挿入し、ハウジング３を絶縁体４と接触させることにより口金１が組み立てられ得る。
【００５３】
図６は、他の実施形態の口金２１を示す。口金２１は口金１と類似するが、Ｂ２２ソケット、ＢＡ１５ソケット、又はＢ１５ソケット等のバヨネット式ソケットに挿入されるよう構成された筐体２２を含む点で異なる。
【００５４】
図６に示されるように、口金２１は、１つ以上の光源を含む照明モジュール３０等のコンポーネントを接続するための特徴を備え得る。これにより、口金２１及び１つ以上の光源を含む照明モジュール３０を含む電球１０が提供され得る。
【００５５】
筐体２とは対照的に、筐体２２はねじ山を一切有さない。代わりに、筐体２２は筐体２２の半径方向反対側に配置され、それぞれが筐体２２から半径方向外側に延びる第１及び第２のピン２２ａ、２２ｂを含む。したがって、筐体２２は、各ピン２２ａ、２２ｂが収容され、回転動作によって固定され得るＬ字スロットを含む対応するバヨネット式ソケットに挿入され得る。
【００５６】
図７及び図８は、口金２１の２つの互いに直交する縦断面沿いに取られた口金２１の断面図である。絶縁体４に対応する絶縁体２４は、仕切り部材７に対応する仕切り部材２７を含む。ハウジング３に対応するハウジング２３は、仕切り部材８に対応する仕切り部材２８を含む。ハウジング２３は、スナップロック構成でハウジング２３の係合部２３ｃ’、２３ｃ”と係合するよう適合された導電性接続ピン２５、２６の端部２５ａ、２６ａによって絶縁体２４に取り付けられる。
【００５７】
図６乃至図８に示されるように、絶縁体２４は、口金２１の２つの端部接点を形成する各接続ピン２５及び２６を収容するための第１及び第２のチャネルを含む。ハウジング２３は、接続ピン２５、２６の各端部２３ｃ’、２３ｃ”を収容するよう構成された一組の接続部２９ａ、２９ｂを備え得る。接続ピン２５、２６は、締まりばめ態様で各接続部２９ａ、２９ｂ内に収容され得る。接続ピン２５及び２６は、上記と同様にして各接続導線とガルバニック接続し得る。口金のソケットへの挿入中又はソケットからの取り外し中、ハウジング２３に加えられたトルクの一部が接続部２９ａ、２９ｂ並びに接続ピン２５及び２６を介して絶縁体２４に伝達され得る。実際には、一部の実施形態では、接続部２９ａ、２９ｂ並びに接続ピン２５及び２６のトルク伝達能力は十分であり、仕切り部材２７、２８は省かれ得る。
【００５８】
少なくとも１つの導電性接続ピン及び対応するハウジングの係合部を含む口金２１は、絶縁体とハウジングとの分離が、少なくとも軸方向において防がれるような絶縁体とハウジングとの間の接続を容易化し、導電性接続ピン及び係合部は、更に、ハウジングが絶縁体に対して軸方向周りに回転しないよう構成される。
【００５９】
当業者は、本発明が如何ようにも上記の好適な実施形態に限定されないことを認識する。反対に、多くの改変及び変形が添付の特許請求の範囲の範囲内で可能である。例えば、ハウジング３、２３は円筒形以外の形状を有してもよく、ハウジングは三角形、矩形の断面、又はより一般的には多角形の断面を有してもよい。
【００６０】
導電性接続ピン５、２５、２６は、上記の円柱状の形状以外の形状を有し得る。
【００６１】
また、図示の実施形態では、仕切り部材７、８、２７、２８は実質的に矩形の断面形状を有する。他の実施形態では、仕切り部材は代わりに三角形の形状、又はより一般的には多角形の形状を有し得る。一部の実施形態では、絶縁体及びハウジングはそれぞれ円形又は環状の仕切り部材を有し得る。部品を結合するためにハウジング及び絶縁体の軸方向周りの相対回転を考慮する必要がないので、環状仕切り部材は口金の組み立てを簡略化し得る。環状仕切り部材は、例えば、接続ピン５、２５、２６のトルク伝達能力が十分だと考えられる適用例において使用され得る。一部の実施形態では、（ハウジング又は絶縁体の）外側の環状仕切り部材の半径方向内面は１つ以上の軸方向に延びるリブを有し、（ハウジング又は絶縁体の）内側の環状仕切り部材の半径方向外面は１つ以上の軸方向に延びるリブを有し、外側及び内側仕切り部材の１つ以上のリブは、互いにかみ合い、外側仕切り部材及び内側仕切り部材の軸方向周りの相対回転を防ぐよう構成され得る。これにより、環状仕切り部材はハウジングと絶縁体との間でトルクを伝達するよう構成され得る。
【００６２】
更に、図示の実施形態をＬＥＤ光源に言及して説明してきたが、特許請求の範囲によって定められる本発明は、他の種類の光源と共に使用され得る。例えば、１つ以上のハロゲン光源を含み、ハウジング内の電気回路が（１つ以上の）ハロゲン光源を駆動するための回路を含み得る電球、又は蛍光光源を含み、電気回路が蛍光光源を起動及び駆動するための回路を含み得る電球が考えられる。
【００６３】
また、図面、開示、及び添付の特許請求の範囲の分析から、当業者は開示の実施形態の変形形態を理解及び実施することができる。特許請求の範囲において、「含む（又は、備える若しくは有する等）」との用語は他の要素又はステップを除外せず、要素は複数を除外しない。単にいくつかの手段が互いに異なる従属請求項に記載されているからといって、これらの手段の組み合わせを好適に使用することができないとは限らない。
【図１】
0006009701.tif 000002
【図２】
0006009701.tif 000003
【図３】
0006009701.tif 000004
【図４】
0006009701.tif 000005
【図４−１】
0006009701.tif 000006
【図４−２】
0006009701.tif 000007
【図５】
0006009701.tif 000008
【図６】
0006009701.tif 000009
【図７】
0006009701.tif 000010
【図８】
0006009701.tif 000011